(57)【要約】【課題】  コンテンツ提供装置とコンテンツ出力装置とが無線通信を介して接続されてなり、ＤＶＤ等の記録メディアに記録されているコンテンツ情報を再生可能なコンテンツ再生システムであって、コンテンツ再生中にコンテンツ出力装置に向けて行われたリモコン操作により、コンテンツ提供装置に所望の動作を確実に実行させることができるコンテンツ再生システムを提供する。【解決手段】コンテンツ出力装置では、入力手段から制御情報が入力されたことに基づいて、現在出力されているコンテンツ情報の位置情報を取得し、前記制御情報とともに位置情報をコンテンツ提供装置に送信し、コンテンツ提供装置では、受信した制御情報及び位置情報に基づいて記録媒体からコンテンツ情報を読み出す、すなわち受信した位置情報をコンテンツ提供装置における再生位置とみなしてリモコンキーの受付を行うようにした。【選択図】  図４
2007336123.tif 000002
【特許請求の範囲】
【請求項１】
光ディスク等の記録媒体に記録されているコンテンツ情報を読み出すコンテンツ読み出し手段と、読み出したコンテンツ情報をコンテンツ出力装置に送信可能なコンテンツ送信手段と、前記コンテンツ出力装置からの制御情報を受信可能な制御情報受信手段と、を備え、前記コンテンツ読み出し手段は、前記記録媒体に前記コンテンツ情報とともに記録されているタイムコード情報に基づいて、コンテンツ情報の読み出し位置を決定可能に構成されているコンテンツ提供装置と、
前記コンテンツ提供装置を制御する制御情報を入力可能な入力手段と、前記入力手段からの制御情報を前記コンテンツ提供装置に送信可能な制御情報送信手段と、前記コンテンツ提供装置からのコンテンツ情報を受信可能なコンテンツ受信手段と、受信したコンテンツ情報を出力する出力手段と、を備えたコンテンツ出力装置と、が無線伝送路を介して接続されてなるコンテンツ再生システムにおいて、
前記コンテンツ送信手段は、前記コンテンツ読み出し手段により読み出されたコンテンツ情報とともにタイムコード情報を前記コンテンツ出力装置に送信可能に構成され、
前記出力手段は、出力されているコンテンツ情報のタイムコード情報を管理可能に構成され、
前記制御情報送信手段は、コンテンツ情報を出力中に前記入力手段から制御情報が入力されたときは、前記入力手段から制御情報が入力されたことに基づいて、前記出力手段からコンテンツ情報のタイムコード情報を取得し、前記制御情報とともにタイムコード情報を前記コンテンツ提供装置に送信し、コンテンツ情報を出力していないときに前記入力手段から制御情報が入力されたときは、前記コンテンツ情報のタイムコード情報を取得することなく、前記制御情報を前記コンテンツ提供装置に送信し、
前記コンテンツ読み出し手段は、前記制御情報受信手段によって受信した制御情報及びタイムコード情報に基づいて、前記記録媒体からコンテンツ情報を読み出すことを特徴とするコンテンツ再生システム。
【請求項２】
光ディスク等の記録媒体に記録されているコンテンツ情報を読み出すコンテンツ読み出し手段と、読み出したコンテンツ情報をコンテンツ出力装置に送信可能なコンテンツ送信手段と、前記コンテンツ出力装置からの制御情報を受信可能な制御情報受信手段と、を備え、前記コンテンツ読み出し手段は、前記記録媒体に前記コンテンツ情報とともに記録されている位置情報に基づいて、コンテンツ情報の読み出し位置を決定可能に構成されているコンテンツ提供装置と、
前記コンテンツ提供装置を制御する制御情報を入力可能な入力手段と、前記入力手段からの制御情報を前記コンテンツ提供装置に送信可能な制御情報送信手段と、前記コンテンツ提供装置からのコンテンツ情報を受信可能なコンテンツ受信手段と、受信したコンテンツ情報を出力する出力手段と、を備えたコンテンツ出力装置と、が無線伝送路を介して接続されてなるコンテンツ再生システムにおいて、
前記コンテンツ送信手段は、前記コンテンツ読み出し手段により読み出されたコンテンツ情報とともに位置情報を前記コンテンツ出力装置に送信可能に構成され、
前記出力手段は、出力されているコンテンツ情報の位置情報を管理可能に構成され、
前記制御情報送信手段は、前記入力手段から制御情報が入力されたことに基づいて、前記出力手段からコンテンツ情報の位置情報を取得し、前記制御情報とともに位置情報を前記コンテンツ提供装置に送信し、
前記コンテンツ読み出し手段は、前記制御情報受信手段によって受信した制御情報及び位置情報に基づいて、前記記録媒体からコンテンツ情報を読み出すことを特徴とするコンテンツ再生システム。
【請求項３】
前記位置情報は、前記記録媒体に前記コンテンツ情報とともに記録されているタイムコード情報であることを特徴とする請求項２に記載のコンテンツ再生システム。
【請求項４】
前記制御情報送信手段は、コンテンツ情報を出力中に前記入力手段から制御情報が入力されたときは、前記コンテンツ情報の位置情報を取得し、前記制御情報とともに位置情報を前記コンテンツ提供装置に送信し、コンテンツ情報を出力していないときに前記入力手段から制御情報が入力されたときは、前記コンテンツ情報の位置情報を取得することなく、前記制御情報だけを前記コンテンツ提供装置に送信することを特徴とする請求項２又は３に記載のコンテンツ再生システム。
【請求項５】
無線伝送路を介してコンテンツ出力装置に接続されるコンテンツ提供装置であって、
光ディスク等の記録媒体に記録されているコンテンツ情報を読み出すコンテンツ読み出し手段と、
読み出したコンテンツ情報をコンテンツ出力装置に送信可能なコンテンツ送信手段と、
前記コンテンツ出力装置からの制御情報を受信可能な制御情報受信手段と、を備え、
前記コンテンツ読み出し手段は、前記記録媒体に前記コンテンツ情報とともに記録されている位置情報に基づいて、コンテンツ情報の読み出し位置を決定可能で、
前記コンテンツ送信手段は、前記コンテンツ読み出し手段により読み出されたコンテンツ情報とともに位置情報を前記コンテンツ出力装置に送信可能に構成され、
前記コンテンツ読み出し手段は、前記制御情報受信手段によって制御情報とともにコンテンツ情報の位置情報を受信した場合に、前記受信した制御情報及び位置情報に基づいて、前記記録媒体からコンテンツ情報を読み出すことを特徴とするコンテンツ提供装置。
【請求項６】
無線伝送路を介してコンテンツ提供装置に接続されるコンテンツ出力装置であって、
前記コンテンツ提供装置を制御する制御情報を入力可能な入力手段と、
前記入力手段からの制御情報を前記コンテンツ提供装置に送信可能な制御情報送信手段と、
前記コンテンツ提供装置からのコンテンツ情報及びその位置情報を受信可能なコンテンツ受信手段と、
受信したコンテンツ情報を出力する出力手段と、を備え、
前記出力手段は、出力されているコンテンツ情報の位置情報を管理可能に構成され、
前記制御情報送信手段は、前記入力手段から制御情報が入力されたことに基づいて、前記出力手段からコンテンツ情報の位置情報を取得し、前記制御情報とともに位置情報を前記コンテンツ提供装置に送信することを特徴とするコンテンツ出力装置。
【発明の詳細な説明】
【技術分野】
【０００１】
本発明は、コンテンツ提供装置（例えば、ＤＶＤプレイヤー）とコンテンツ出力装置（例えば、液晶ディスプレイ）とが無線通信を介して接続されてなり、ＤＶＤ（Digital Versatile Disk）等の記録メディアに記録されているコンテンツ情報（映像情報および音声情報）を再生可能なコンテンツ再生システムに関し、特に、コンテンツ出力装置に入力された制御情報（例えば、リモコン信号）によりコンテンツ提供装置の動作を制御可能なコンテンツ再生システムに関する。
【背景技術】
【０００２】
近年、ＤＶＤプレイヤー等のコンテンツ提供装置と液晶ディスプレイ等のコンテンツ出力装置で構成され、コンテンツ提供装置において再生されたコンテンツを、無線通信を介してコンテンツ出力装置に出力させるようにしたコンテンツ再生システムが提案されている。無線通信の一つである無線ＬＡＮの代表的な技術としては、ＩＥＥＥにおいて標準化されているＩＥＥＥ８０２．１１があり、２．４ＧＨｚ帯を使用するものが主流となっている。
【０００３】
このような無線ＬＡＮを利用したコンテンツ再生システムにより、コンテンツ提供装置とコンテンツ出力装置とを離れた場所に設置することも可能となり、利便性が格段に向上している。また、離れた場所に設置されているコンテンツ提供装置を遠隔操作できるように、視聴者がコンテンツ出力装置に向けてリモコン操作を行うと、これに基づいて制御情報がコンテンツ提供装置に送信されて、コンテンツの再生や停止等の動作が制御されるように構成されている。例えば、特許文献１には、リモコンにより送信された制御情報に基づいて、コンテンツの選択又はコンテンツの再生動作を制御することが可能な電子機器が開示されている。
【０００４】
しかしながら、無線通信を利用するという構成上、コンテンツ提供装置において再生処理されているコンテンツ情報（映像情報および音声情報）と、コンテンツ出力装置において実際に出力されているコンテンツ情報との間には時間的なズレ（遅延時間）が生じる。例えば、ＤＶＤにはＭＰＥＧ２（Moving Picture Experts Group 2）−ＰＳ（Program Stream）に基づいてフォーマット化されたコンテンツが記録されているが、無線通信で伝送する場合にはＭＰＥＧ２−ＴＳ（Transport Stream）としてコンテンツ出力装置に伝送する必要がある。つまり、コンテンツ提供装置内において再生したコンテンツ情報をＭＰＥＧ２−ＴＳに変換する一方、コンテンツ出力装置では受信したＭＰＥＧ２−ＴＳを復号化処理する必要があるため、コンテンツ提供装置側とコンテンツ出力装置側とでズレが生じてしまう。
【０００５】
そこで、このようなコンテンツ提供装置とコンテンツ出力装置との間で生じるズレに起因する不具合を解消するための発明が開示されている（特許文献２）。具体的には、モニタ側に、再生機器から送られたＭＰＥＧ２−ＴＳを所定期間保存するバッファを設け、このバッファを制御して、早送り再生等の特殊再生のためのデータを読み出すように構成することで、応答性を確保し、適切な特殊再生を行わせるようにしている。
【０００６】
また、関連する技術として、情報記録媒体の再生及び煩わしい手間を必要とせずに、容易に情報記録媒体の記録内容に関する情報を表示することが可能な情報記録媒体処理装置が開示されている（特許文献３）。
【特許文献１】特開２００５−１９８０２９号公報
【特許文献２】特開２００６−０１９７８１号公報
【特許文献３】特開２００３−０４６９３０号公報
【発明の開示】
【発明が解決しようとする課題】
【０００７】
上述したように、コンテンツ提供装置におけるコンテンツの再生位置とコンテンツ出力装置における出力位置との間で時間的なズレがあると、これに起因して様々な不具合が生じる。例えば、早送り再生等の特殊再生時の応答性に関する問題については、上記特許文献２に記載の発明により解消できる。
【０００８】
しかしながら、視聴者がコンテンツ出力装置に向けて行ったリモコン操作が、例えば、スキップや一時停止であった場合、所望の動作結果を示さないという弊害を生じることがあり、この問題は上記特許文献２に記載の発明では解決できない。
【０００９】
例えば、コンテンツ提供装置におけるコンテンツの再生位置とコンテンツ出力装置における出力位置との間にはズレが生じているので、コンテンツ出力装置側ではチャプタ＃１が出力されている場合でも、同じタイミングでコンテンツ提供装置側ではチャプタ＃２が再生されていることがある（図６参照）。そして、このタイミングＴ１で視聴者がチャプタ＃２の頭出しをするためにスキップ操作を行うと、コンテンツ提供装置ではスキップ操作によりチャプタ＃３の頭出しがされてしまうこととなり、視聴者が所望する動作結果（チャプタ＃２の頭出し）が得られないこととなる。
【００１０】
また、一時停止操作を行った場合や、スキップ操作による遷移先が指定されているチャプタ又はスキップ操作が禁止されているチャプタがコンテンツ提供装置にて再生されているときにスキップ操作を行った場合にも不具合が生じると考えられる。
【００１１】
本発明は、コンテンツ提供装置とコンテンツ出力装置とが無線通信を介して接続されてなり、ＤＶＤ等の記録メディアに記録されているコンテンツ情報を再生可能なコンテンツ再生システムであって、コンテンツ再生中にコンテンツ出力装置に向けて行われたリモコン操作により、コンテンツ提供装置に所望の動作を確実に実行させることができるコンテンツ再生システムを提供することを目的とする。
【課題を解決するための手段】
【００１２】
本発明は、上記課題を解決するためになされたものであり、光ディスク等の記録媒体に記録されているコンテンツ情報を読み出すコンテンツ読み出し手段と、読み出したコンテンツ情報をコンテンツ出力装置に送信可能なコンテンツ送信手段と、前記コンテンツ出力装置からの制御情報を受信可能な制御情報受信手段と、を備え、前記コンテンツ読み出し手段は、前記記録媒体に前記コンテンツ情報とともに記録されている位置情報（タイトル番号、チャプタ番号、タイムコード情報）に基づいて、コンテンツ情報の読み出し位置を決定可能に構成されているコンテンツ提供装置（例えば、ＤＶＤプレイヤー）と、前記コンテンツ提供装置を制御する制御情報を入力可能な入力手段と、前記入力手段からの制御情報を前記コンテンツ提供装置に送信可能な制御情報送信手段と、前記コンテンツ提供装置からのコンテンツ情報を受信可能なコンテンツ受信手段と、受信したコンテンツ情報を出力する出力手段（モニタ、スピーカ）と、を備えたコンテンツ出力装置（例えば、液晶ディスプレイ）と、が無線伝送路を介して接続されてなるコンテンツ再生システムにおいて、前記コンテンツ送信手段は、前記コンテンツ読み出し手段により読み出されたコンテンツ情報（映像・音声情報）とともに位置情報を前記コンテンツ出力装置に送信可能に構成され、前記出力手段は、出力されているコンテンツ情報の位置情報を管理可能に構成され、前記制御情報送信手段は、前記入力手段から制御情報が入力されたことに基づいて、前記出力手段からコンテンツ情報の位置情報を取得し、前記制御情報とともに位置情報を前記コンテンツ提供装置に送信し、前記コンテンツ読み出し手段は、前記制御情報受信手段によって受信した制御情報及び位置情報に基づいて、前記記録媒体からコンテンツ情報を読み出すことを特徴とする。
【００１３】
具体的には、前記位置情報として、前記記録媒体に前記コンテンツ情報とともに記録されているタイムコード情報（記録媒体に記録されているコンテンツを構成するフレームの絶対的な時間軸上の位置）を利用することができる。ここで、タイムコード情報とは、記録媒体に記録されているコンテンツを構成するフレームの絶対的な時間軸上の位置であり、通常、"００（時間）：００（分）：００（秒）：００（フレーム）で表されるものである。
【００１４】
また、前記制御情報送信手段は、コンテンツ情報を出力中に前記入力手段から制御情報が入力されたときは、前記コンテンツ情報の位置情報を取得し、前記制御情報とともに位置情報を前記コンテンツ提供装置に送信し、コンテンツ情報を出力していないときに前記入力手段から制御情報が入力されたときは、前記コンテンツ情報の位置情報を取得することなく、前記制御情報だけを前記コンテンツ提供装置に送信するようにした。すなわち、コンテンツ提供装置の動作を制御するに際に、コンテンツ情報の位置情報が必要ないときは、この位置情報を取得することなく制御情報だけを送信するようにした。これにより、コンテンツ出力装置からコンテンツ提供装置へ送信される情報量を低減できるので、制御情報に対する応答性を向上できる。
【発明の効果】
【００１５】
本発明によれば、コンテンツ提供装置とコンテンツ出力装置とが無線伝送路を介して接続されてなるコンテンツ再生システムにおいて、コンテンツ出力装置では、入力手段（例えば、リモコン）から制御情報が入力されたことに基づいて、現在出力されているコンテンツ情報の位置情報を取得し、前記制御情報とともに位置情報をコンテンツ提供装置に送信し、コンテンツ提供装置では、受信した制御情報及び位置情報に基づいて記録媒体からコンテンツ情報を読み出す、すなわち受信した位置情報をコンテンツ提供装置における再生位置とみなしてリモコンキーの受付を行うようにしたので、常に視聴者が意図した動作を行うことができる。
【発明を実施するための最良の形態】
【００１６】
以下、本発明の好適な実施の形態を図面に基づいて説明する。図１は、本実施形態のコンテンツ再生システムの概略構成図である。
本実施形態に係るコンテンツ再生システム１００は、記録媒体からコンテンツ情報（映像データ、音声データ）を含む情報を読み出して送信するコンテンツ提供装置１０と、コンテンツ提供装置１０から送信されたコンテンツ情報を受信して出力するコンテンツ出力装置２０と、で構成される。ここで、コンテンツ提供装置１０とコンテンツ出力装置２０は、例えば、ＩＥＥＥ８０２．１１ｇ（通信速度〜５４Ｍｂｐｓ）で規定された無線ＬＡＮを利用して、例えば２．４ＧＨｚ帯でデータ伝送を行うものとする。
【００１７】
また、本実施形態に係るコンテンツ再生システムでは、リモコン２０８からコンテンツ出力装置２０７に入力された制御情報により、コンテンツ提供装置１０の動作を制御できるようにされている。
【００１８】
図２は、コンテンツ提供装置１０の概略構成図である。図２に示すように、コンテンツ提供装置１０は、ＤＶＤドライブ１０１と、ＭＰＥＧコンバータ１０２と、無線ＬＡＮ通信部１０３と、制御部１０４と、送受信アンテナ１０５と、を備えて構成される。本実施形態では、コンテンツ提供装置１０は、例えば、無線通信機能を備えたＤＶＤプレイヤーとする。
【００１９】
ＤＶＤ３０には、例えば、ＭＰＥＧ２−ＰＳ方式に従い圧縮符号化されたコンテンツ情報が記録されている。また、コンテンツ情報とともに、フレーム毎の絶対時間を示すタイムコード情報（位置情報）が記録されている。
【００２０】
ＤＶＤドライブ１０１は、ＤＶＤ３０に記録されているコンテンツ情報を読み出す（コンテンツ読み出し手段）。また、ＤＶＤ３０にコンテンツ情報とともに記録されているタイムコード情報に基づいて、コンテンツ情報の読み出し位置を決定可能に構成されている。
【００２１】
ＭＰＥＧコンバータ１０２は、ＤＶＤドライブ１０１によって読み出されたＭＰＥＧ２−ＰＳ方式のコンテンツ情報を、無線通信によって送信可能なＭＰＥＧ２−ＴＳ方式のコンテンツ情報に変換する。
【００２２】
無線ＬＡＮ通信部１０３は、ＭＰＥＧコンバータ１０２で変換されたＭＰＥＧ２−ＴＳ方式のコンテンツ情報を送受信アンテナ１０５を介して無線通信により送信するとともに、コンテンツ出力装置２０からの制御情報（リモコンキー）を受信可能に構成される（コンテンツ送信手段、制御情報受信手段）。
【００２３】
制御部１０４は、図示しないＣＰＵと、ＲＡＭと、ＲＯＭと、で構成される。ＲＯＭには、各種制御プログラムが格納されており、ＣＰＵはＲＡＭを作業領域として利用しつつ、ＲＯＭ内の制御プログラムに従って、各ブロックの動作を制御する。
【００２４】
例えば、制御部１４は、ＤＶＤドライブ１０１にコンテンツ情報を読み出させ、読み出されたコンテンツ情報を無線ＬＡＮ通信部１０３によりコンテンツ出力装置２０に送信させる制御を行う。また、無線ＬＡＮ通信部１０３によりコンテンツ出力装置２０からの制御情報を受信した場合に、受信した制御情報に基づいて、ＤＶＤドライブ１０１の読み出し処理を制御する。
【００２５】
図３は、コンテンツ出力装置２０の概略構成図である。図３に示すように、コンテンツ出力装置２０は、出力手段としてのディスプレイ２０１、スピーカ２０２と、Ｄ／Ａ変換器２０３と、ＭＰＥＧデコーダ２０４と、無線ＬＡＮ通信部２０５と、制御部２０６と、リモコン信号受信部２０７と、リモコン２０８と、送受信アンテナ２０９と、を備えて構成される。本実施形態では、コンテンツ出力装置２０は、例えば、無線通信機能を備えた液晶ディスプレイとする。
【００２６】
無線ＬＡＮ通信部２０５は、ＭＰＥＧ２−ＴＳ方式のコンテンツ情報を送受信アンテナ２０９を介して無線通信により受信するとともに、コンテンツ提供装置１０に制御情報を送信可能に構成される（コンテンツ受信手段、制御情報送信手段）。
【００２７】
ＭＰＥＧデコーダ２０４は、無線ＬＡＮ通信部２０５で受信したＭＰＥＧ２−ＴＳ形式のコンテンツ情報を伸張復号化し、所定のフォーマットの信号に変換する。
【００２８】
Ｄ／Ａ変換器２０３は、ＭＰＥＧデコーダ２０４で伸張復号化されたコンテンツ情報をアナログ信号に変換して、ディスプレイ２０１又はスピーカ２０２に出力する。
【００２９】
リモコン信号受信部２０７は、入力手段としてのリモコン２０８からの赤外線信号（制御情報）を受信する。リモコン２０８は、コンテンツ出力装置２０の制御情報の他、コンテンツ提供装置１０の制御情報を入力可能で、リモコン信号受信部２０７は、これらの制御情報を受信可能に構成されている。
【００３０】
制御部２０６は、図示しないＣＰＵと、ＲＡＭと、ＲＯＭと、で構成される。ＲＯＭには、各種制御プログラムが格納されており、ＣＰＵはＲＡＭを作業領域として利用しつつ、ＲＯＭ内の制御プログラムに従って、各ブロックの動作を制御する。例えば、リモコン２０８からの制御情報がリモコン信号受信部２０７で受信され入力されると、制御部２０６は、この制御情報に基づいてコンテンツ出力装置２０を構成する各ブロックを制御する。
【００３１】
また、リモコン２０８からの制御情報がコンテンツ提供装置１０の制御情報であった場合には、制御部２０６は、無線ＬＡＮ通信部２０５によりこの制御情報をコンテンツ提供装置１０に送信させる制御を行う。
【００３２】
本実施形態に係るコンテンツ再生システム１００を構成するコンテンツ提供装置１０とコンテンツ出力装置２０は、上述した構成をしており、このコンテンツ再生システム１００では、リモコン２０８からコンテンツ出力装置２０７に入力された制御情報により、コンテンツ提供装置１０の動作を制御できるようにされている。
【００３３】
ここで、無線通信を利用したコンテンツ再生システム１００では、コンテンツ提供装置１０におけるコンテンツの再生位置と、コンテンツ出力装置２０におけるコンテンツの出力位置（視聴者が視聴している場面）とはズレを生じる。
【００３４】
そこで、本実施形態では、コンテンツ情報とともに記録されているタイムコード情報を利用して、コンテンツ出力装置２０にリモコン２０８から制御情報が入力された時点のコンテンツの出力位置を示すタイムコード情報に基づいて、コンテンツ提供装置１０における動作制御を行うようにしている。具体的には、コンテンツ出力装置２０は、リモコン２０８から制御情報が入力されたことに基づいて、制御情報とともに制御情報が入力された時点のコンテンツの出力位置を示すタイムコード情報をコンテンツ提供装置１０に送信するようにしている。
【００３５】
図４は、コンテンツ出力装置２０において実行されるリモコン制御処理を示すフローチャートである。
まず、制御部２０６は、リモコン信号受信部２０７からの入力信号を監視し、リモコン２０８から制御情報（リモコン信号）が入力されたか判定する（ステップＳ１０）。
【００３６】
次いで、制御情報が入力されたと判定した場合は、現在、コンテンツを再生中であるか判定する（ステップＳ１１）。そして、コンテンツを再生中であると判定した場合は、その時点のコンテンツの出力位置を示すタイムコード情報を取得し（ステップＳ１２）、制御情報とタイムコード情報をコンテンツ提供装置１０に送信する（ステップＳ１３）。
【００３７】
一方、ステップＳ１１で、コンテンツを再生中でないと判定した場合は、制御情報だけをコンテンツ提供装置１０に送信する（ステップＳ１４）。すなわち、コンテンツ提供装置１０の動作を制御するに際に、タイムコード情報がなくても正常に動作制御できるときは、タイムコード情報を取得することなく制御情報だけを送信する。これにより、コンテンツ出力装置２０からコンテンツ提供装置１０へ送信される情報量を低減できるので、制御情報に対する応答性を向上できる。
【００３８】
図５は、コンテンツ提供装置１０における再生位置とコンテンツ出力装置２０における出力位置を示す説明図である。
図５に示すように、例えば、タイミングＴ１の時点では、コンテンツ出力装置２０ではチャプタ＃１（タイムコードＨ２：Ｍ２：Ｓ２：Ｆ２）が出力されているが、同じタイミングＴ１でコンテンツ提供装置１０ではチャプタ＃２（タイムコードＨ１：Ｍ１：Ｓ１：Ｆ１）が再生されている。そして、このタイミングＴ１で視聴者がチャプタ＃２の頭出しをするためにスキップ操作を行い、コンテンツ提供装置１０でその制御情報だけに基づいて動作制御が行われると、コンテンツ提供装置１０ではスキップ操作の制御によりチャプタ＃３の頭出しがされてしまうこととなり、視聴者が所望する動作結果（チャプタ＃２の頭出し）が得られなくなる。
【００３９】
これに対して、本実施形態のコンテンツ再生システム１００では、制御情報とともに制御情報が入力された時点のコンテンツのタイムコード情報（Ｈ２：Ｍ２：Ｓ２：Ｆ２）がコンテンツ提供装置１０に送信され、コンテンツ提供装置１０では、受信した制御情報及びタイムコード情報に基づいて動作制御が行われる。つまり、タイミングＴ１で視聴者がチャプタ＃２の頭出しをするためにスキップ操作を行うと、コンテンツ提供装置１０ではタイムコード情報が"Ｈ２：Ｍ２：Ｓ２：Ｆ２"である位置に対して、スキップ操作の制御が行われるので、チャプタ＃２の頭出しがされることとなり、視聴者が所望する動作結果を得ることができる。
【００４０】
また、スキップ操作による遷移先が指定されているチャプタ又はスキップ操作が禁止されているチャプタがコンテンツ提供装置にて再生されているときにスキップ操作を行った場合に生じる不具合等も回避することができる。
【００４１】
上述したように、本実施形態では、コンテンツ提供装置１０とコンテンツ出力装置２０とが無線伝送路を介して接続されてなるコンテンツ再生システム１００において、コンテンツ出力装置２０では、リモコン２０８から制御情報が入力されたことに基づいて、現在出力されているコンテンツ情報のタイムコード情報を取得し、制御情報とともにタイムコード情報をコンテンツ提供装置１０に送信し、コンテンツ提供装置１０では、受信した制御情報及びタイムコード情報に基づいて記録媒体からコンテンツ情報を読み出す、すなわち受信したタイムコード情報の示す位置をコンテンツ提供装置１０における再生位置とみなしてリモコンキーの受付を行うので、常に視聴者が意図した動作を行わせることができる。
【００４２】
以上、本発明者によってなされた発明を実施形態に基づいて具体的に説明したが、本発明は上記実施形態に限定されるものではなく、その要旨を逸脱しない範囲で変更可能である。
例えば、上記実施形態では、記録媒体にコンテンツ情報とともに記録されている位置情報としてタイムコード情報を利用した場合について説明したが、コンテンツ情報のタイトル番号やチャプタ番号をタイムコード情報に付加するようにしてもよい。
また、コンテンツ提供装置１０としてＤＶＤプレイヤーを例に挙げて説明したが、ＣＤ−ＲやＤＶＤ−ＲＡＭ、ハードディスク等の記録再生可能なＤＶＤレコーダやＨＤＤレコーダに適用することができる。
【００４３】
さらに、上記実施形態では、ＩＥＥＥ８０２．１１ｇで規定された２．４ＧＨｚ帯の無線ＬＡＮについて説明したが、その他の伝送技術を利用することもできる。例えば、ＩＥＥＥ８０２．１１ａで規定された５．２ＧＨｚ帯の無線ＬＡＮやＩＥＥＥ８０２．１１ｂで規定された２．４ＧＨｚ帯の無線ＬＡＮ、又は光無線ＬＡＮ等を利用することができる。
【図面の簡単な説明】
【００４４】
【図１】本実施形態のコンテンツ再生システムの概略構成図である。
【図２】コンテンツ提供装置１０の概略構成図である。
【図３】コンテンツ出力装置２０の概略構成図である。
【図４】コンテンツ出力装置２０におけるリモコン制御処理を示すフローチャートである。
【図５】本実施形態のコンテンツ再生システムを構成するコンテンツ提供装置における再生位置とコンテンツ出力装置における出力位置を示すタイミングチャートである。
【図６】従来のコンテンツ再生システムを構成するコンテンツ提供装置における再生位置とコンテンツ出力装置における出力位置を示すタイミングチャートである。
【符号の説明】
【００４５】
１０    コンテンツ提供装置
１０１  ＤＶＤドライブ
１０２  ＭＰＥＧコンバータ
１０３  無線ＬＡＮ通信部
１０４  制御部
１０５  送受信アンテナ
２０    コンテンツ出力装置
２０１  ディスプレイ（ＬＣＤ）
２０２  スピーカ
２０３  Ｄ／Ａ変換器
２０４  ＭＰＥＧデコーダ
２０５  無線ＬＡＮ通信部
２０６  制御部
２０７  リモコン信号受信部
２０８  リモコン
２０９  送受信アンテナ
３０    ＤＶＤ
１００  コンテンツ再生システム
【図１】
2007336123.tif 000003
【図２】
2007336123.tif 000004
【図３】
2007336123.tif 000005
【図４】
2007336123.tif 000006
【図５】
2007336123.tif 000007
【図６】
2007336123.tif 000008